(57)【特許請求の範囲】
【請求項１】
内視鏡を配置する処理槽と、  前記処理槽に設けられた流入口と、  前記処理槽に設けられた流出口と、  一端が前記流入口に接続され、他端が前記流出口に接続された循環管路と、  前記循環管路に設けられ、前記一端から前記他端に向けて送液するポンプと、  前記流入口に設けられ、内視鏡付属品を収容する第１のケースを保持する第１の保持部と、  を含むことを特徴とする内視鏡リプロセッサ。
【請求項２】
前記第１のケースを含み、  前記第１のケースは、  前記内視鏡付属品を収容する本体部と、  前記本体部の少なくとも一部に設けられた開口と、  前記開口を覆い、汚物を捕集する第１の捕集網と、  前記本体部を前記第１の保持部に取り付ける取付け部と、  前記本体部に設けられ、前記流入口に連通している吸引口と、  を含むことを特徴とする請求項１に記載の内視鏡リプロセッサ。
【請求項３】
前記第１の捕集網は、前記本体部に対して着脱可能であることを特徴とする請求項２に記載の内視鏡リプロセッサ。
【請求項４】
前記本体部に設けられた、開閉可能な付属品取出し口を含むことを特徴とする請求項２に記載の内視鏡リプロセッサ。
【請求項５】
前記流出口に設けられ、前記内視鏡付属品を収容する第２のケースを保持する第２の保持部を含むことを特徴とする請求項１に記載の内視鏡リプロセッサ。
【請求項６】
前記吸引口を通過する流体を濾過する第２の捕集網を有する、ことを特徴とする請求項２に記載の内視鏡リプロセッサ。
【請求項７】
前記本体部は、ヒンジによって回動自在に連結された胴体上部及び胴体下部を有し、  前記付属品取出し口は、前記胴体上部及び前記胴体下部を前記ヒンジを中心に互いに開くことによって外部に露出する、  ことを特徴とする請求項４に記載の内視鏡リプロセッサ。
【請求項８】
前記本体部は、互いに嵌合する胴体上部と胴体下部を有し、  前記付属品取出し口は、前記胴体上部及び前記胴体下部を互いに分離させることによって外部に露出する、  ことを特徴とする請求項４に記載の内視鏡リプロセッサ。
【請求項９】
前記本体部は、筒状に形成した、ことを特徴とする請求項２に記載の内視鏡リプロセッサ。
【請求項１０】
前記第１のケース及び前記第２のケースを有する、ことを特徴とする請求項５に記載の内視鏡リプロセッサ。
【発明の詳細な説明】
【技術分野】
【０００１】  本発明は、内視鏡リプロセッサに関する。
【背景技術】
【０００２】  従来、被検体に使用された内視鏡を洗浄消毒する内視鏡洗浄消毒装置がある。例えば、日本国特開２００９−２４０４３４号公報には、内視鏡から取り外された内視鏡付属品を洗浄かごに収納し、洗浄液を噴出する洗浄かご用給液ノズルから洗浄液を内視鏡付属品に噴射し、内視鏡付属品を洗浄する、内視鏡洗浄消毒装置が開示される。【０００３】  しかし、従来の内視鏡リプロセッサでは、ポンプの流出側の流れは活用できていたが、ポンプの流入側の流れは活用できていなかった。【０００４】  そこで、本発明は、ポンプの流入側の流れを活用することで、内視鏡付属品に付着した気泡を除去し、内視鏡付属品を再生処理することができる、内視鏡リプロセッサを提供することを目的とする。
【発明の開示】
【課題を解決するための手段】
【０００５】  本発明の一態様の内視鏡リプロセッサは、内視鏡を配置する処理槽と、前記処理槽に設けられた流入口と、前記処理槽に設けられた流出口と、一端が前記流入口に接続され、他端が前記流出口に接続された循環管路と、前記循環管路に設けられ、前記一端から前記他端に向けて送液するポンプと、前記流入口に設けられ、内視鏡付属品を収容する第１のケースを保持する第１の保持部と、を含む。
【図面の簡単な説明】
【０００６】
【図１】本発明の第１の実施形態に係わる、内視鏡リプロセッサの内部構成例を示すブロック図である。
【図２】本発明の第１の実施形態に係わる、内視鏡リプロセッサの処理槽の外観構成例を示す図である。
【図３】本発明の第１の実施形態に係わる、ケースの構成例を示す断面図である。
【図４】本発明の第１の実施形態の変形例１に係わる、ケースの構成例を示す断面図である。
【図５】本発明の第１の実施形態の変形例２に係わる、ケースの構成例を示す断面図である。
【図６】本発明の第１の実施形態の変形例３に係わる、ケースの構成例を示す断面図である。
【図７】本発明の第１の実施形態の変形例４に係わる、ケースの構成例を示す断面図である。
【図８】本発明の第２の実施形態に係わる、内視鏡リプロセッサの処理槽の外観構成例を示す図である。
【発明を実施するための最良の形態】
【０００７】  以下、図面を参照しながら、本発明の実施形態を説明する。【０００８】  （第１の実施形態）  （構成）  図１は、本発明の第１の実施形態に係わる、内視鏡リプロセッサ１の内部構成例を示すブロック図である。図２は、本発明の第１の実施形態に係わる、内視鏡リプロセッサ１の処理槽２１の外観構成例を示す図である。図１では、電気信号線は、省略される。【０００９】  内視鏡リプロセッサ１は、汚染された内視鏡、及び、内視鏡の部品又は付属品等（以下「内視鏡付属品Ａ」という）の再生処理を行う装置である。ここでいう再生処理とは、特に限定されるものではなく、水によるすすぎ、有機物等の汚れを落とす洗浄、所定の微生物を無効化する消毒、全ての微生物を排除、もしくは、死滅させる滅菌、又は、これらの組み合わせのいずれであってもよい。内視鏡付属品Ａは、特に限定されず、例えば、使用時に内視鏡に装着されて再生処理時に内視鏡から取り外される吸引ボタン、送気送水ボタン、または内視鏡の先端部を覆う先端カバーなどが挙げられる。【００１０】  図１に示すように、内視鏡リプロセッサ１は、トップカバー１１と、処理槽２１を有する。トップカバー１１を開けると、処理槽２１は外部に露出する（図２）。処理槽２１には、再生処理を行う内視鏡が配置される。【００１１】  給水ホース接続口３１は、チューブＴを介して水道栓Ｗと接続される。また、給水ホース接続口３１は、給水管路３２と接続される。給水管路３２は、三方電磁弁３３と接続され、給水ホース接続口３１側から順に、給水電磁弁３４と、逆止弁３５と、給水フィルタ３６とが設けられる。【００１２】  循環ノズル３７は、三方電磁弁３３の切替え動作により、給水管路３２と送液管路３８のいずれか一方と連通する。循環ノズル３７は、水道栓Ｗから供給された水又は後述する循環口４０から取り込まれた液体のいずれか一方を吐出する。【００１３】  送液管路３８には、送液ポンプ３９が設けられる。【００１４】  循環口４０は、第１のケース２０１（図２）を保持できるように、保持部４０ａを有する。循環口４０は、流入管路４１と接続される。流入管路４１は、２つに分岐し、送液管路３８及びチャネル管路４２と接続される。チャネル管路４２は、コネクタ４３、漏水検知用コネクタ４４及びテラスノズル４５と接続される。チャネル管路４２には、送液又は送気するチャネルポンプ４６、チャネルブロック４７、チャネル電磁弁４８及び開閉弁４９が設けられる。チャネル管路４２は、リリーフ弁５１を有するケース用管路５２にも接続される。ケース用管路５２は、槽底ノズル５３と接続される。循環口４０の配置位置処理槽２１の底面に限定されず、処理槽２１の側面に配置されていてもよい。【００１５】  内視鏡リプロセッサ１は、循環口４０によって処理槽２１の液体を取り込み、循環ノズル３７、コネクタ４３、テラスノズル４５及び槽底ノズル５３から送液し、液体を循環させる。【００１６】  洗剤ノズル６１は、洗剤管路６２を介し、洗剤を貯留した洗剤タンク６３と接続される。洗剤管路６２には、洗剤用ポンプ６４が設けられる。洗剤ノズル６１は、洗剤タンク６３の洗剤を処理槽２１に吐出する。【００１７】  アルコールタンク７１は、アルコール管路���２を介し、チャネルブロック４７と接続される。アルコールタンク７１には、アルコールが貯留される。アルコール管路７２には、アルコール供給ポンプ７３及び電磁弁７４が設けられる。【００１８】  送気ポンプ８１は、送気管路８２を介し、チャネルブロック４７と接続される。送気管路８２には、逆止弁８３及びエアフィルタ８４が設けられる。送気ポンプ８１は、外部から空気を取り込み、チャネルブロック４７に送気する。【００１９】  排出口９１は、図示しない開閉弁を介し、薬液タンク９２及び外部排液口と接続される。排出口９１は、排水ポンプ９３によって排液管路９４を介して外部排液口に薬液を排出する。また、排出口９１は、薬液回収管路９５を介して薬液タンク９２に薬液を排出する。【００２０】  薬液タンク９２には、薬液回収管路９５を介して回収した薬液の他、薬液供給管路９６を介し、薬液ボトル９７によって供給された消毒液等の薬液も貯留される。薬液タンク９２の薬液は、加温部９８によって加温される。【００２１】  薬液ノズル９９は、薬液管路１０１を介して薬液タンク９２と接続される。薬液管路１０１には、薬液フィルタ１０２と薬液ポンプ１０３が設けられる。薬液ノズル９９は、薬液タンク９２の薬液を処理槽２１に吐出する。【００２２】  振動部１１１、ヒータ１１２及び温度検知センサ１１３は、処理槽２１の槽底に設けられる。【００２３】  制御部１１４は、水位計１１５、１１６（図２）及び図示しない操作パネルからの各種信号が供給され、ポンプ及び弁等の内視鏡リプロセッサ１内の各部を制御信号の出力によって制御する。【００２４】  電源１１７は、内視鏡リプロセッサ１の各部に外部から取り込んだ電力を供給する。【００２５】  図３は、本発明の第１の実施形態に係わる、第１のケース２０１の構成例を示す断面図である。【００２６】  第１のケース２０１は、内視鏡付属品Ａを収容し、収容された内視鏡付属品Ａを再生処理できるように構成される。第１のケース２０１は、循環口４０に取り付けられる。第１のケース２０１の材質は、特に限定されないが、例えば、金属、樹脂又はセラミック等によって構成される。図３に示すように、第１のケース２０１は、蓋２１１と、本体部２２１と、を有する。【００２７】  蓋２１１は、本体部２２１を覆うように配置される。例えば、本体部２２１の上部に配置されるがこれに限定されず、本体部２２１の側面に配置されてもよい。蓋２１１は、例えば、板状に形成される。蓋２１１は、捕集網２１２及び当止め部２１３を有する。【００２８】  捕集網２１２は、蓋２１１の中央部に設けられ、処理槽２１内のゴミや内視鏡から剥離された血液等の汚物を捕集することができるように構成される。捕集網２１２は、例えば、金属の織網である。なお、捕集網２１２は、金属の織網に限定されず、打抜網、非金属網、樹脂網又は合成繊維網等であっても構わない。【００２９】  当止め部２１３は、蓋２１１の脱落を抑えることができるように、本体部２２１の胴体２２２の上部に当止めされるように構成される。当止め部２１３は、例えば、蓋２１１の周縁を周回するように、環凸状に形成される。【００３０】  すなわち、捕集網２１２は、本体部２２１に対して着脱可能である。【０��３１】  本体部２２１は、内視鏡付属品Ａを収容できるように構成される。本体部２２１は、胴体２２２及び底部２２３を有する。【００３２】  胴体２２２は、筒状に形成され、上部に開口２２４を有する。すなわち、本体部２２１には、少なくとも一部に開口２２４が設けられ、開口２２４を覆うように捕集網２１２が設けられる。【００３３】  底部２２３は、例えば、胴体２２２の下部に設けられる。底部２２３には、吸引口２２５及び取付け筒２２６が設けられる。しかし、循環口４０が処理槽２１の側面に設けられる場合、底部２２３、吸引口２２５、取付け筒２２６は胴体２２２の側面に設けられる。【００３４】  吸引口２２５は、本体部２２１内の流体を吸引できるように、取付け筒２２６と連通する。【００３５】  取付け筒２２６は、筒状に形成され、内側に吸引口２２５と連通する流体流路を有する。取付け筒２２６の内幅は、内視鏡付属品Ａが入り込まないように、内視鏡付属品Ａよりも小さな幅に設定される。取付け筒２２６は、凹状に形成された循環口４０の保持部４０ａに内嵌して取り付けられる。取付け筒２２６が循環口４０に取り付けられると、第１のケース２０１は、流入管路４１と連通する。取付け筒２２６は、本体部２２１を保持部４０ａに取り付ける取付け部である。【００３６】  すなわち、循環口４０は、処理槽２１に設けられた流入口である。また、循環ノズル３７、コネクタ４３、テラスノズル４５及び槽底ノズル５３の各々は、処理槽２１に設けられた流出口である。また、流入管路４１、送液管路３８、チャネル管路４２及びケース用管路５２は、一端が流入口と接続され、他端が流出口と接続された循環管路を構成する。また、チャネルポンプ４６と送液ポンプ３９の各々は、循環管路に設けられ、一端から他端に向けて送液するポンプである。また、保持部４０ａは、流入口に設けられ、内視鏡付属品Ａを収容する第１のケース２０１を保持する。【００３７】  （作用）  続いて、内視鏡リプロセッサ１の作用について説明をする。【００３８】  ユーザは、トップカバー１１を開け、処理槽２１を露出させる。ユーザは、内視鏡から内視鏡付属品Ａを取り外し、内視鏡付属品Ａが取り外された内視鏡を処理槽２１にセットする。ユーザは、蓋２１１を開け、内視鏡付属品Ａを本体部２２１内に収容し、蓋２１１を閉じる。ユーザは、トップカバー１１を閉じ、図示しない操作部を操作し、再生処理開始の指示入力を行う。【００３９】  再生処理開始の指示入力があると、制御部１１４は、内視鏡リプロセッサ１内の各部に制御信号を出力し、所定の再生処理工程にしたがい、薬液ノズル９９、循環ノズル３７又は洗剤ノズル６１から送液させ、処理槽２１に液体を貯留させる。【００４０】  液体が処理槽２１に貯留されると、第１のケース２０１は、水没する。【００４１】  制御部１１４の制御によって送液ポンプ３９又はチャネルポンプ４６が駆動すると、処理槽２１に貯留した液体は、捕集網２１２を介して本体部２２１に流入する（図３の一点鎖線Ｆ）。本体部２２１に流入した液体は、内視鏡付属品Ａを底部２２３に押し当て、内視鏡付属品Ａの表面に付着した気泡を押し流す。気泡が押し流され、消毒液等の液体が内視鏡付属品Ａに接触すると、内視鏡��属品Ａは、洗浄消毒される。続いて、本体部２２１内の液体は、吸引口２２５、取付け筒２２６及び循環口４０を介して流入管路４１に流入する。【００４２】  再生処理終了後には、次回の使用に備え、捕集網２１２によって捕集された汚物を廃棄する。【００４３】  これにより、内視鏡リプロセッサ１では、底部２２３が内視鏡付属品Ａを押し止め、流液が内視鏡付属品Ａの表面に強く当たって表面に付着した気泡を押し流す。【００４４】  上述の第１の実施形態によれば、内視鏡リプロセッサ１は、内視鏡付属品Ａに付着した気泡を除去し、流入口の流れを利用して内視鏡付属品Ａを再生処理することができる。【００４５】  （第１の実施形態の変形例１）  第１の実施形態では、捕集網２１２は、開口２２４を覆うように設けられるが、開口２２４に加え、底部２２３に設けられても構わない。【００４６】  図４は、本発明の第１の実施形態の変形例１に係わる、第１のケース２０１の構成例を示す断面図である。本変形例の説明では、他の実施形態又は変形例と同じ構成については、説明を省略する。【００４７】  第１の実施形態の変形例１では、第１のケース２０１は、吸引口を通過する流体を濾過する捕集網２２７を有する。変形例１では底部２２３の取付け筒２２６に、捕集網２２７を有する。【００４８】  すなわち、第１のケース２０１は、本体部２２１の底部２２３に捕集網２２７を有する。【００４９】  これにより、第１のケース２０１は、処理槽２１内の汚物だけでなく、内視鏡付属品Ａに付着し、内視鏡付属品Ａとともに第１のケース２０１内に入った汚物等、第１のケース２０１内の汚物も捕集することができる。【００５０】  （第１の実施形態の変形例２）  第１の実施形態及び変形例１では、内視鏡付属品Ａの収容及び取出しは、蓋２１１を開けて行われるが、蓋２１１を閉じたまま内視鏡付属品Ａの収容及び取出しをすることができるように構成しても構わない。【００５１】  図５は、本発明の第１の実施形態の変形例２に係わる、第１のケース２０１の構成例を示す断面図である。本変形例の説明では、他の実施形態又は変形例と同じ構成については、説明を省略する。【００５２】  第１の実施形態の変形例２では、胴体２２２は、胴体上部２２２ａ、胴体下部２２２ｂ、ヒンジ２２８及び付属品取出し口Ｄを有する。【００５３】  胴体上部２２２ａ及び胴体下部２２２ｂは、ヒンジ２２８によって回動自在に連結され、胴体上部２２２ａ及び胴体下部２２２ｂは、ヒンジ２２８を中心とする回動によって開閉する。【００５４】  付属品取出し口Ｄは、胴体上部２２２ａ及び胴体下部２２２ｂをヒンジ２２８を中心に互いに開くことによって外部に露出する。【００５５】  これにより、第１のケース２０１は、蓋２１１を閉じたまま、付属品取出し口Ｄから内視鏡付属品Ａの収容及び取出しをすることができる。【００５６】  （第１の実施形態の変形例３）  第１の実施形態の変形例２では、胴体２２２では、ヒンジ２２８によって開閉自在に胴体上部２２２ａ及び胴体下部２２２ｂが連結されるが、嵌込み式によって胴体上部２２２ｃを胴体下部２２２ｄに取り付けても構わない。【００５７】  図６は、本発明の第１の実施形態の変形例３に係わる、第１のケース２０１の構成例を示す断面図である。本変形例の説明では、他の実施形態又は変形例と同じ構成については、説明を省略する。【００５８】  第１の実施形態の変形例３では、胴体２２２は、胴体上部２２２ｃ、胴体下部２２２ｄ及び付属品取出し口Ｄを有する。【００５９】  胴体上部２２２ｃ及び胴体下部２２２ｄは、互いに嵌合する。【００６０】  付属品取出し口Ｄは、胴体上部２２２ａ及び胴体下部２２２ｂを互いに分離させることによって外部に露出する。【００６１】  これにより、第１のケース２０１は、胴体２２２の構造をより簡素にすることができ、蓋２１１を閉じたまま、付属品取出し口Ｄから内視鏡付属品Ａの収容及び取出しをすることができる。【００６２】  （第１の実施形態の変形例４）  第１の実施形態及び変形例１、２及び３では、本体部２２１は、椀状であるが、細長状であっても構わない。【００６３】  図７は、本発明の第１の実施形態の変形例４に係わる、第１のケース３０１の構成例を示す断面図である。本変形例の説明では、他の実施形態又は変形例と同じ構成については、説明を省略する。【００６４】  第１のケース３０１は、開口直径よりも胴の長さの方が長い筒状に形成される。【００６５】  これにより、第１のケース３０１内では、液体の流速が速くなり、内視鏡付属品Ａに付着した気泡をより効果的に除去することができる。【００６６】  （第２の実施形態）  第１の実施形態では、内視鏡リプロセッサ１は、第１のケース２０１を有するが、複数の第１のケース２０１、第２のケース４０１を有しても構わない。【００６７】  図８は、本発明の第２の実施形態に係わる、内視鏡リプロセッサ１の処理槽２１の外観構成例を示す図である。本実施形態の説明では、他の実施形態又は変形例と同じ構成については、説明を省略する。【００６８】  図８に示すように、内視鏡リプロセッサ１は、第１のケース２０１、第２のケース４０１を有する。【００６９】  第２のケース４０１は、槽底ノズル５３に取り付けられ、槽底ノズル５３から噴出する流体により、収容した内視鏡付属品Ａを撹拌して洗浄消毒を行う。第２のケース４０１は、着脱自在な蓋４１１と、内視鏡付属品Ａを収容する本体部４２１とを有する。【００７０】  すなわち、槽底ノズル５３は、内視鏡付属品Ａを収容する第２のケース４０１を保持する保持部である。【００７１】  これにより、内視鏡リプロセッサ１では、第１のケース２０１、第２のケース４０１によってより多くの内視鏡付属品Ａを洗浄消毒することができる。【００７２】  なお、実施形態及び変形例では、取付け部は、内嵌め式によって保持部４０ａに取り付けるように構成するが、これに限定されない。例えば、取付け部は、外嵌め式、螺合式又は載置式等の内嵌め式以外の取付け手段によって保持部４０ａに取り付けるように構成しても構わない。【００７３】  本発明は、上述した実施の形態に限定されるものではなく、本発明の要旨を変えない範囲において、種々の変更、改変等が可能である。【００７４】  本発明によれば、ポンプの流入側の流れを利用して、内視鏡付属品に付着した気泡を除去し、内視鏡付属品を再生処理することができる、内視鏡リプロセッサを提供することができる。【００７５】  本出願は、２０１７��３月１３日に日本国に出願された特願２０１７−４７６４２号を優先権主張の基礎として出願するものであり、上記の開示内容は、本願明細書、請求の範囲に引用されるものとする。
【要約】  内視鏡リプロセッサ（１）は、内視鏡を配置する処理槽（２１）と、処理槽（２１）に設けられた流入口（４０）と、処理槽（２１）に設けられた流出口と、一端が流入口（４０）に接続され、他端が流出口に接続された循環管路と、循環管路に設けられ、一端から他端に向けて送液するポンプと、流入口（４０）に設けられ、内視鏡付属品（Ａ）を収容する第１のケースを保持する第１の保持部と、を含む。【図１】
0006257875.tif 000002
【図２】
0006257875.tif 000003
【図３】
0006257875.tif 000004
【図４】
0006257875.tif 000005
【図５】
0006257875.tif 000006
【図６】
0006257875.tif 000007
【図７】
0006257875.tif 000008
【図８】
0006257875.tif 000009